(57)【要約】【課題】携帯電話の利用者の利便性及び安全性をより向上させる。【解決手段】スピーカ４は、受信した無線信号に含まれる着信音を音声出力するために設置されている。出力管理部３は、無線信号の周波数の割り当て要求に従って周波数の割り当てを行い、周波数の割り当て解除要求に従って割り当て解除を行う。携帯電話２は、スピーカ４を基準とする所定領域内に進入すると、出力管理部３に割り当て要求を送信して出力管理部３から割り当てられた周波数を設定する。携帯電話２は、所定領域内で着信すると、設定された周波数で着信音を含む無線信号をスピーカ４に転送する。携帯電話２は、所定領域から離脱すると、出力管理部３に、割り当て解除要求を送信して、割り当てられた周波数の設定を解除する。【選択図】図１
2011109314.tif 000002
【特許請求の範囲】
【請求項１】
受信した無線信号に含まれる着信音を音声出力するために設置されたスピーカと、
無線信号の周波数の割り当て要求に従って前記周波数の割り当てを行い、前記周波数の割り当て解除要求に従って割り当て解除を行う周波数管理部と、
前記スピーカを基準とする所定領域内に進入すると、前記周波数管理部に前記割り当て要求を送信して前記周波数管理部から割り当てられた前記周波数を設定し、前記所定領域内で着信すると、設定された前記周波数で着信音を含む無線信号を前記スピーカに転送し、前記所定領域から離脱すると、前記周波数管理部に、前記割り当て解除要求を送信して、割り当てられた前記周波数の設定を解除する携帯電話と、
を備える着信音外部出力管理システム。
【請求項２】
前記周波数管理部は、
利用者に関する情報を格納する記憶部を備え、
前記携帯電話への周波数の割り当て又は割り当て解除に先立って、
前記記憶部に格納された前記利用者に関する情報に基づいて前記携帯電話の利用者の照合を行う、
ことを特徴とする請求項１に記載の着信音外部出力管理システム。
【請求項３】
前記携帯電話は、
着信してから、所定期間経過後に、前記周波数管理部により割り当てられた前記周波数で、着信音を含む無線信号を送信する、
ことを特徴とする請求項１又は２に記載の着信音外部出力管理システム。
【請求項４】
前記携帯電話は、
指定された相手からの着信に限り、前記周波数管理部により割り当てられた前記周波数で、着信音を含む無線信号を送信する、
ことを特徴とする請求項１乃至３のいずれか一項に記載の着信音外部出力管理システム。
【請求項５】
前記周波数管理部と前記携帯電話との間で、
ショートメッセージサービスを利用して、
前記割り当て要求と、前記割り当て解除要求と、前記割り当てられた周波数とを送受信する、
ことを特徴とする請求項１乃至４のいずれか一項に記載の着信音外部出力管理システム。
【請求項６】
前記スピーカが、
複数の異なる領域にそれぞれ設置されている、
ことを特徴とする請求項１乃至５のいずれか一項に記載の着信音外部出力管理システム。
【請求項７】
前記携帯電話は、
ＧＰＳ測位システムからもたらされるＧＰＳ情報に基づいて、現在位置を検出するＧＰＳ処理部をさらに備え、
前記ＧＰＳ処理部により、検出された現在位置に基づいて、前記所定領域に対する進入又は離脱を検出する、
ことを特徴とする請求項１乃至６のいずれか一項に記載の着信音外部出力管理システム。
【請求項８】
受信した無線信号に含まれる着信音を音声出力するために設置されたスピーカを基準とする所定領域に対して携帯電話が進入又は離脱したことを検出する検出工程と、
前記携帯電話が前記所定領域内に進入したことが検出されると、前記携帯電話から前記スピーカを管理する管理装置に無線信号の周波数の割り当て要求を送信し、前記携帯電話が前記所定領域から離脱したことが検出されると、割り当てられた前記周波数の割り当て解除要求を前記管理装置に送信する要求送信工程と、
前記管理装置が、前記割り当て要求に従って前記携帯電話へ前記周波数を割り当て、前記割り当て解除要求に従って前記携帯電話への前記周波数の割り当て解除を行う周波数管理工程と、
前記周波数を割り当てられた状態の前記携帯電話に着信があると、前記携帯電話が割り当てられた前記周波数で、着信音を含む無線信号を前記スピーカに転送する着信転送工程と、
前記携帯電話から転送された前記無線信号を受信し、前記無線信号に含まれる前記着信音を、前記スピーカから音声出力する音声出力工程と、
を含む着信音外部出力管理方法。
【請求項９】
受信した無線信号に含まれる着信音を音声出力するために設置されたスピーカを基準とする所定領域に対する進入又は離脱を検出する検出部と、
前記検出部により前記所定領域に進入したことが検出されると、携帯電話から前記スピーカを管理する管理装置に無線信号の周波数の割り当て要求を送信し、前記検出部により前記所定領域から離脱したことが検出されると、割り当てられた前記周波数の割り当て解除要求を前記管理装置に送信する要求送信部と、
前記管理装置から割り当てられた前記周波数の設定又は前記所定領域から離脱検出時の設定解除を行う周波数設定部と、
前記周波数設定部に前記周波数が設定された状態で着信があると、前記周波数で着信音を含む無線信号を前記スピーカに転送する着信転送部と、
を備える携帯電話。
【請求項１０】
受信した無線信号に含まれる着信音を音声出力するために設置されたスピーカを管理する管理装置であって、
携帯電話からの無線信号の周波数の割り当て要求又は割り当て解除要求を受信する受信部と、
前記割り当て要求に従って、前記携帯電話への前記周波数の割り当てを行い、割り当てた前記周波数の無線信号を受信して、その無線信号に含まれる着信音を音声出力するように、前記スピーカを設定し、前記割り当て解除要求に従って、割り当てた前記周波数の割り当ての解除を行い、前記スピーカの設定を解除する周波数管理部と、
前記周波数管理部によって割り当てられた前記周波数を前記携帯電話に送信する送信部と、
を備える管理装置。
【請求項１１】
携帯電話を制御するコンピュータに実行させるプログラムであって、
受信した無線信号に含まれる着信音を音声出力するために設置されたスピーカを基準とする所定領域への進入又は離脱を検出する検出手順と、
前記検出手順で前記所定領域に進入したことが検出されると、前記携帯電話から前記スピーカを管理する管理装置に無線信号の周波数の割り当て要求を送信し、前記検出手順で前記所定領域から離脱したことが検出されると、前記管理装置に割り当てられた前記周波数の割り当て解除要求を送信する要求送信手順と、
前記管理装置から割り当てられた前記周波数を設定し、前記検出手順で前記所定領域から離脱したことが検出されると、その設定を解除する周波数管理手順と、
前記周波数が設定された状態で着信があると、設定された前記周波数で、着信音を含む無線信号を前記スピーカに転送する着信転送手順と、
をコンピュータに実行させるプログラム。
【請求項１２】
受信した無線信号に含まれる着信音を音声出力するために設置されたスピーカを管理する管理装置を制御するコンピュータに実行させるプログラムであって、
携帯電話から無線信号の周波数の割り当て要求又は割り当て解除要求を受信する受信手順と、
前記割り当て要求に従って、前記携帯電話への前記周波数の割り当てを行い、割り当てた前記周波数の無線信号を受信して、その無線信号に含まれる着信音を音声出力するように、前記スピーカを設定する周波数割り当て手順と、
前記周波数割り当て手順によって割り当てられた前記周波数を前記携帯電話に送信する送信手順と、
前記割り当て解除要求に従って、割り当てた前記周波数の割り当ての解除を行い、前記スピーカの設定を解除する周波数割り当て解除手順と、
をコンピュータに実行させるプログラム。
【発明の詳細な説明】
【技術分野】
【０００１】
本発明は、携帯電話への着信の外部出力を管理する着信音外部出力管理システム、着信音外部出力管理方法、前記着信音外部出力管理システムを構成する携帯電話及び管理装置、前記携帯電話及び前記管理装置を制御するコンピュータによって実行されるプログラムに関する。
【背景技術】
【０００２】
利用者の身辺に着脱可能に取り付けられ、携帯電話への着信を利用者に知らせる子機が提案されている（例えば、特許文献１参照）。また、ハンズフリーで携帯電話の通話を可能とするハンズフリー装置が提案されている（例えば、特許文献２参照）。
【先行技術文献】
【特許文献】
【０００３】
【特許文献１】特開２００２−１６６７０号公報
【特許文献２】特開平１０−２２４４４９公報
【発明の概要】
【発明が解決しようとする課題】
【０００４】
上記特許文献１に記載の子機や、上記特許文献２に記載のハンズフリー装置を用いれば、携帯電話をバックに入れていたり、車を運転していたりしても、利用者が着信に気づいて、緊急の連絡に応答することが可能となる。
【０００５】
このような子機やハンズフリー装置は、常に携帯し、手元に置いておかなければ、利用者が着信に気づくことができない。しかしながら、例えば、高所で作業する工事現場などのように、子機等を携帯しづらい場合もある。かといって、子機をはずすと、紛失してしまうおそれもある。
【０００６】
また、子機などから発せられる小さな着信音等では、騒音で着信に気づきにくくなっていたり、利用者が子供である場合には、遊びに夢中で気づかなかったりする場合もある。
【０００７】
また、例えば、利用者である子供が公園で遊ぶようなときに、このような子機等を首から下げたりしていると、安全性が低下するおそれがある。
【０００８】
本発明は、上記実情に鑑みてなされたものであり、携帯電話の利用者の利便性や安全性をより向上させることができる着信音外部出力管理システム、着信音外部出力管理方法、携帯電話、管理装置及びプログラムを提供することを目的とする。
【課題を解決するための手段】
【０００９】
上記目的を達成するために、本発明の第１の観点に係る着信音外部出力管理システムは、
受信した無線信号に含まれる着信音を音声出力するために設置されたスピーカと、
無線信号の周波数の割り当て要求に従って前記周波数の割り当てを行い、前記周波数の割り当て解除要求に従って割り当て解除を行う周波数管理部と、
前記スピーカを基準とする所定領域内に進入すると、前記周波数管理部に前記割り当て要求を送信して前記周波数管理部から割り当てられた前記周波数を設定し、前記所定領域内で着信すると、設定された前記周波数で着信音を含む無線信号を前記スピーカに転送し、前記所定領域から離脱すると、前記周波数管理部に、前記割り当て解除要求を送信して、割り当てられた前記周波数の設定を解除する携帯電話と、
を備える。
【００１０】
また、本発明の第２の観点に係る着信音外部出力管理方法は、
受信した無線信号に含まれる着信音を音声出力するために設置されたスピーカを基準とする所定領域に対して携帯電話が進入又は離脱したことを検出する検出工程と、
前記携帯電話が前記所定領域内に進入したことが検出されると、前記携帯電話から前記スピーカを管理する管理装置に無線信号の周波数の割り当て要求を送信し、前記携帯電話が前記所定領域から離脱したことが検出されると、割り当てられた前記周波数の割り当て解除要求を前記管理装置に送信する要求送信工程と、
前記管理装置が、前記割り当て要求に従って前記携帯電話へ前記周波数を割り当て、前記割り当て解除要求に従って前記携帯電話への前記周波数の割り当て解除を行う周波数管理工程と、
前記周波数を割り当てられた状態の前記携帯電話に着信があると、前記携帯電話が割り当てられた前記周波数で、着信音を含む無線信号を前記スピーカに転送する着信転送工程と、
前記携帯電話から転送された前記無線信号を受信し、前記無線信号に含まれる前記着信音を、前記スピーカから音声出力する音声出力工程と、
を含む。
【００１１】
また、本発明の第３の観点に係る携帯電話は、
受信した無線信号に含まれる着信音を音声出力するために設置されたスピーカを基準とする所定領域に対する進入又は離脱を検出する検出部と、
前記検出部により前記所定領域に進入したことが検出されると、携帯電話から前記スピーカを管理する管理装置に無線信号の周波数の割り当て要求を送信し、前記検出部により前記所定領域から離脱したことが検出されると、割り当てられた前記周波数の割り当て解除要求を前記管理装置に送信する要求送信部と、
前記管理装置から割り当てられた前記周波数の設定又は前記所定領域から離脱検出時の設定解除を行う周波数設定部と、
前記周波数設定部に前記周波数が設定された状態で着信があると、前記周波数で着信音を含む無線信号を前記スピーカに転送する着信転送部と、
を備える。
【００１２】
また、本発明の第４の観点に係る管理装置は、
受信した無線信号に含まれる着信音を音声出力するために設置されたスピーカを管理する管理装置であって、
前記携帯電話からの無線信号の周波数の割り当て要求又は割り当て解除要求を受信する受信部と、
前記割り当て要求に従って、前記携帯電話への前記周波数の割り当てを行い、割り当てた前記周波数の無線信号を受信して、その無線信号に含まれる着信音を音声出力するように、前記スピーカを設定し、前記割り当て解除要求に従って、割り当てた前記周波数の割り当ての解除を行い、前記スピーカの設定を解除する周波数管理部と、
前記周波数管理部によって割り当てられた前記周波数を前記携帯電話に送信する送信部と、
を備える。
【００１３】
また、本発明の第５の観点に係るプログラムは、
携帯電話を制御するコンピュータに実行させるプログラムであって、
受信した無線信号に含まれる着信音を音声出力するために設置されたスピーカを基準とする所定領域への進入又は離脱を検出する検出手順と、
前記検出手順で前記所定領域に進入したことが検出されると、前記携帯電話から前記スピーカを管理する管理装置に無線信号の周波数の割り当て要求を送信し、前記検出手順で前記所定領域から離脱したことが検出されると、前記管理装置に割り当てられた前記周波数の割り当て解除要求を送信する要求送信手順と、
前記管理装置から割り当てられた前記周波数を設定し、前記検出手順で前記所定領域から離脱したことが検出されると、その設定を解除する周波数管理手順と、
前記周波数が設定された状態で着信があると、設定された前記周波数で、着信音を含む無線信号を前記スピーカに転送する着信転送手順と、
をコンピュータに実行させる。
【００１４】
また、本発明の第６の観点に係るプログラムは、
受信した無線信号に含まれる着信音を音声出力するために設置されたスピーカを管理する管理装置を制御するコンピュータに実行させるプログラムであって、
携帯電話から無線信号の周波数の割り当て要求又は割り当て解除要求を受信する受信手順と、
前記割り当て要求に従って、前記携帯電話への前記周波数の割り当てを行い、割り当てた前記周波数の無線信号を受信して、その無線信号に含まれる着信音を音声出力するように、前記スピーカを設定する周波数割り当て手順と、
前記周波数割り当て手順によって割り当てられた前記周波数を前記携帯電話に送信する送信手順と、
前記割り当て解除要求に従って、割り当てた前記周波数の割り当ての解除を行い、前記スピーカの設定を解除する周波数割り当て解除手順と、
をコンピュータに実行させる。
【発明の効果】
【００１５】
本発明によれば、携帯電話への着信音を、近くに設置されたスピーカに転送して音声出力するので、利用者が携帯電話の着信音を知らせるための外部機器を携帯し着信に気づく位置に置いておく必要がないため、携帯電話の利用者の利便性や安全性をより向上させることができる。
【図面の簡単な説明】
【００１６】
【図１】本発明の一実施形態に係る着信音外部出力管理システムの構成を示すブロック図である。
【図２】図１の着信音外部出力管理システムにおける周波数割り当て処理のフローチャートである。
【図３】図１の着信音外部出力管理システムにおける着信転送処理のフローチャートである。
【図４】図１の着信音外部出力管理システムにおける周波数割り当て解除処理のフローチャートである。
【図５】複数のスピーカの配置例を示す模式図である。
【発明を実施するための形態】
【００１７】
次に、本発明の一実施形態について図面を参照して詳細に説明する。
【００１８】
図１に示すように、本実施形態に係る着信音外部出力管理システム１００は、ＧＰＳ（Global Positioning System）測位システム１と、携帯電話２と、出力管理部３と、スピーカ４と、を備える。この着信音外部出力管理システム１００は、携帯電話２への着信に利用者が応答しない場合に、一定期間、携帯電話２の近くに設置されたスピーカ４に携帯電話２への着信音を鳴動させて、携帯電話２の利用者に着信を知らせるシステムである。
【００１９】
ＧＰＳ測位システム１は、ＧＰＳ機能搭載の機器の現在位置情報を算出するためのＧＰＳ情報を送信する。
【００２０】
携帯電話２は、設定記憶部２１と、ＧＰＳ処理部２２と、照合部２３と、ＳＭＳ（Short Message Service）送信部２４と、ＳＭＳ受信部２５と、周波数設定部２６と、音声通話機能部２７と、着信音鳴動機能部２８と、ＦＭトランスミッタ２９と、を備える。ＧＰＳ処理部２２、照合部２３、ＳＭＳ送信部２４、ＳＭＳ受信部２５、周波数設定部２６、音声通話機能部２７、着信音鳴動機能部２８等は、携帯電話２を制御するコンピュータとしてのＣＰＵが、プログラムを実行することにより、その機能が実現される構成要素である。
【００２１】
設定記憶部２１は、スピーカ等情報１１１、周波数管理情報１１２、相手情報１１３、鳴動時間１１４を記憶する。スピーカ等情報１１１には、スピーカ４の位置情報や、出力管理部３の電話番号等が含まれる。周波数管理情報１１２は、割り当てられたＦＭ波の周波数帯域の周波数番号が含まれる。ここでは、ＦＭ波の周波数帯域の周波数番号としてＦ１〜Ｆ８のいずれかが割り当てられる。相手情報１１３には、発信元（通話相手）の電話番号と着信音との対応関係が登録されている。鳴動時間１１４は、携帯電話２において、着信音を鳴動させる時間である。
【００２２】
ＧＰＳ処理部２２は、ＧＰＳ測位システム１からもたらされるＧＰＳ情報に基づいて、指定された任意の時間間隔で、携帯電話２の現在位置を検出する。
【００２３】
検出部としての照合部２３は、指定された任意の時間間隔で、ＧＰＳ処理部２２で検出された現在位置と、設定記憶部２１に登録されているスピーカ４の位置情報とを照合する。照合部２３は、この照合結果に基づいて、携帯電話２がスピーカ４を基準とする所定領域内（例えば、スピーカ４を中心とする所定半径内の領域内）に進入したか、又はその領域から離脱したかを検出する。以下、この領域を、スピーカ４の圏内と呼ぶ。
【００２４】
照合部２３は、携帯電話２がスピーカ４の圏内に進入したことを検出すると、その旨の情報を、ＳＭＳ送信部２４に出力する。一方、照合部２３は、携帯電話２がスピーカ４の圏内から離脱すると、その旨の情報を、ＳＭＳ送信部２４に出力する。
【００２５】
要求送信部としてのＳＭＳ送信部２４は、照合部２３によって携帯電話２がスピーカ４の圏内に進入した旨の情報を受信すると、到達通知ＳＭＳを生成して、スピーカ等情報１１１に登録された出力管理部３の電話番号宛に送信する。さらに、ＳＭＳ送信部２４は、照合部２３によって携帯電話２がスピーカ４の圏内から離脱した旨の情報を受信すると、離脱通知ＳＭＳを生成し、出力管理部３の電話番号宛に送信する。
【００２６】
到達通知ＳＭＳは、出力管理部３への無線信号（ＦＭ波）の周波数の割り当て要求である。また、離脱通知ＳＭＳは、出力管理部３への無線信号（ＦＭ波）の周波数の割り当ての解除要求である。
【００２７】
ＳＭＳ受信部２５は、出力管理部３からのＦＭ波の周波数の割り当て要求に対する応答（周波数変更通知ＳＭＳ）を受信する。この応答には、割り当てられたＦＭ波の周波数番号（Ｆ１〜Ｆ８のいずれか）が含まれている。
【００２８】
周波数設定部２６は、ＳＭＳ受信部２５で受信された応答に含まれるＦＭ波の周波数番号の設定又は消去を行う。より具体的には、周波数設定部２６は、受信した周波数変更通知ＳＭＳの命令文を実行し、周波数管理情報１１２における周波数番号の設定又は消去を行い、ＦＭトランスミッタ２９の周波数設定を変更する。命令文の実行は、登録してある出力管理部３の電話番号からのＳＭＳからのみ有効とする。
【００２９】
音声通話機能部２７は、音声通話機能を有する。音声通話の着信があると、音声通話機能部２７は、その旨の着信信号を着信音鳴動機能部２８に送信する。
【００３０】
着信音鳴動機能部２８は、設定記憶部２１の相手情報１１３を参照して、発信元（通話の相手）に対応する着信音データを読み出す。また、着信音鳴動機能部２８は、設定記憶部２１から、鳴動時間１１４を読み出す。着信音鳴動機能部２８は、登録されている発信元（通話の相手）に対応する着信音を、鳴動させる。相手情報１１３に該当する発信元がない場合、着信音鳴動機能部２８は、標準の着信音（例えばベル音）を鳴らす。
【００３１】
携帯電話２の利用者が応答すると、音声通話機能部２７は、着信音鳴動機能部２８による鳴動を停止させる。その後、音声通話機能部２７による通話が開始される。
【００３２】
一方、利用者が応答せず、鳴動時間１１４が経過すると、着信音鳴動機能部２８は、着信音を、ＦＭトランスミッタ２９に出力する。
【００３３】
着信転送部としてのＦＭトランスミッタ２９は、周波数管理情報１１２に登録された周波数番号のＦＭ周波数の無線信号に、着信音鳴動機能部２８から出力された着信音をのせて、スピーカ４に転送する。
【００３４】
続いて、出力管理部３について説明する。出力管理部３は、携帯電話２の無線信号の周波数の割り当て要求に従って、携帯電話２に対する周波数の割り当てを行い、割り当て解除要求に従って、携帯電話２に対する周波数の割り当て解除を行う。出力管理部３は、設定記憶部３１と、入力装置３２と、表示装置３３と、ＳＭＳ受信部３４と、照合部３５と、ＳＭＳ送信部３６と、を備える。ＳＭＳ受信部３４、照合部３５、ＳＭＳ送信部３６、は、出力管理部３を制御するコンピュータとしてのＣＰＵが、プログラムを実行することにより、その機能が実現される構成要素である。
【００３５】
設定記憶部３１には、利用者情報１３１、周波数管理情報１３２、利用制限情報１３３、音量調節情報１３４が格納されている。利用者情報１３１には、スピーカ４の位置情報、利用者の電話番号、ＦＭ波の周波数帯域（ＦＭ周波数）の周波数番号Ｆ１〜Ｆ８などが含まれる。周波数管理情報１３２には、ＦＭ周波数の周波数番号Ｆ１〜Ｆ８のうち、どの周波数番号が、すでに割り当てられているかの情報など、ＦＭ波を管理するための情報が設定されている。利用制限情報１３３には、利用者情報１３１に登録された利用者の利用をさらに制限するための情報が設定されている。音量調節情報１３４は、スピーカ４の音声出力の音量を調節するための情報である。
【００３６】
入力装置３２は、各種情報を入力する。入力された情報は、設定記憶部３１に登録される。例えば、スピーカ４の位置情報や利用者の電話番号が、利用者情報１３１として登録される。
【００３７】
表示装置３３は、設定記憶部３１に記憶されたスピーカ４の状態や、入力操作状態や、設定記憶部３１に記憶された情報等を表示する。
【００３８】
ＳＭＳ受信部３４は、携帯電話２から送られた到達通知ＳＭＳ又は離脱通知ＳＭＳを受信する。
【００３９】
周波数管理部としての照合部３５は、到達通知ＳＭＳ又は離脱通知ＳＭＳの命令文を実行する。
【００４０】
まず、照合部３５は、受信されたＳＭＳが到達通知ＳＭＳであった場合、そのＳＭＳに含まれる送信元電話番号と設定記憶部３１の利用者情報１３１に含まれる電話番号とを照合し、一致する電話番号があれば、照合部３５は、ＦＭ周波数の周波数番号Ｆ１〜Ｆ８のうち、利用可能な周波数番号を、周波数管理情報１３２を参照して決定する。照合部３５は、周波数管理情報１３２において、割り当てた周波数番号を、受信待機状態へ切り替える。ＳＭＳ送信部３６は、割り当てられた周波数番号を含む、周波数変更設定の命令文を記載した周波数変更通知ＳＭＳを生成して、携帯電話２に送信する。
【００４１】
照合部３５は、受信されたＳＭＳが離脱通知ＳＭＳであった場合、周波数管理情報１３２における、そのＳＭＳに含まれる送信元電話番号に割り当てた周波数番号の受信待機状態を解除する。また、照合部３５は、そのＦＭ受信待機状態を解除する旨の信号を、スピーカ４に出力する。
【００４２】
この他、ＳＭＳ送信部３６は、設定記憶部３１に格納された利用者情報１３１のうち、スピーカ４の位置情報や、出力管理部３の電話番号等を、ＳＭＳで携帯電話２に送信する。これらの情報を含むＳＭＳは、ＳＭＳ受信部２５によって受信され、それらの情報がスピーカ等情報１１１として設定記憶部２１に登録される。
【００４３】
続いて、スピーカ４について説明する。スピーカ４は、受信した無線信号に含まれる着信音を音声出力するために、例えば公園などの所定の位置に設置されている。スピーカ４は、出力部４１と、ＦＭ受信機能部４２と、ＦＭ受信待機／解除部４３と、を備える。これらの構成要素は、スピーカ４を制御するコンピュータとしてのＣＰＵが、プログラムを実行することにより、その一部の機能が実現される。
【００４４】
出力部４１は、入力される音声信号に対応する音声（着信音）を、設定記憶部３１に格納された音量調節情報１３４に設定された音量で音声出力する。
【００４５】
ＦＭ受信機能部４２は、ＦＭトランスミッタ２９から送信されるＦＭ波を受信して、ＦＭ波に基づく着信音の音声信号を出力部４１に出力する。
【００４６】
ＦＭ受信待機／解除部４３は、照合部３５から出力される信号に基づいて、ＦＭ受信機能部４２におけるＦＭ波の受信状態を、受信待機状態と、解除状態とのいずれかに切り替える。
【００４７】
次に、本実施形態に係る着信音外部出力管理システム１００の動作について、図２乃至図５を参照して、詳細に説明する。
【００４８】
まず、図２を参照して、携帯電話２が、スピーカ４の圏外にあるときに実行される周波数割り当て処理について説明する。
【００４９】
図２に示すように、ＧＰＳ処理部２２は、ＧＰＳ測位より現在位置を検出する（ステップＳ１）。続いて、照合部２３は、スピーカ等情報１１１に含まれるスピーカ４の位置情報と、検出された現在位置とを照合し、携帯電話２が、スピーカ４の圏内（スピーカ圏内）に進入したか否かを判定する（ステップＳ２）。
【００５０】
携帯電話２がスピーカ４の圏内に進入していないと判定されると（ステップＳ２；Ｎｏ）、ＧＰＳ処理部２２は、ＧＰＳ測位より現在位置を検出する（ステップＳ１）。すなわち、携帯電話２がスピーカ４の圏内に進入したと判定されるまで、ステップＳ１→Ｓ２が繰り返される。
【００５１】
携帯電話２がスピーカ４の圏内に進入したと判定されると（ステップＳ２；Ｙｅｓ）、ＳＭＳ送信部２４は、到達通知ＳＭＳを生成して（ステップＳ３）、出力管理部３宛に送信する（ステップＳ４）。
【００５２】
一方、出力管理部３では、ＳＭＳ受信部３４が、到達通知ＳＭＳの受信待ちとなっている（ステップＳ１１；Ｎｏ）。ＳＭＳ受信部３４が到達通知ＳＭＳを受信すると（ステップＳ１１；Ｙｅｓ）、照合部３５は、ＳＭＳの宛先の送信元電話番号と設定記憶部３１の利用者情報１３１とを照合し、一致する電話番号があるか否かを判定する（ステップＳ１２）。
【００５３】
一致する電話番号がなければ（ステップＳ１２；Ｎｏ）、ＳＭＳ受信部３４における受信待ちとなる（ステップＳ１１）。一方、一致する電話番号が有れば（ステップＳ１２；Ｙｅｓ）、照合部３５は、周波数管理情報１３２を参照して、利用可能な周波数番号を決定し、決定された周波数番号を受信待機状態に切り替えることにより、周波数割り当てを行う（ステップＳ１３）。
【００５４】
続いて、照合部３５は、ＦＭ受信待機／解除部４３を、割り当てた周波数番号に対応する周波数帯域の無線信号の受信待機状態へ切り替える（ステップＳ１４）。続いて、ＳＭＳ送信部３６は、割り当てられた周波数番号１〜８を含む、周波数変更設定の命令文を記載したＳＭＳ（周波数変更通知ＳＭＳ）を生成し（ステップＳ１５）、携帯電話２へ送信する（ステップＳ１６）。ステップＳ１６終了後、出力管理部３では、再び、ＳＭＳ受信部３４の受信待ちとなる（ステップＳ１１）。これにより、出力管理部３は、他の携帯電話に対して周波数を割り当てることも可能となる。
【００５５】
図２に示すように、携帯電話２では、ＳＭＳ受信部２５が、周波数変更通知ＳＭＳの受信待ちとなっている（ステップＳ５；Ｎｏ）。周波数変更通知ＳＭＳを受信すると（ステップＳ５；Ｙｅｓ）、ＳＭＳ受信部２５が、ＳＭＳに含まれる送信元電話番号と、スピーカ等情報１１１に含まれる出力管理部３の電話番号を照合し、ＳＭＳの送信元が、出力管理部３であるか否かを判定する（ステップＳ６）。
【００５６】
ＳＭＳの送信元が、出力管理部３でない場合（ステップＳ６；Ｎｏ）、再び、ＳＭＳ受信部２５が、周波数変更通知ＳＭＳの受信待ちとなる（ステップＳ５；Ｎｏ）。ＳＭＳの送信元が、出力管理部３である場合（ステップＳ６；Ｙｅｓ）、周波数設定部２６が、受信した周波数変更通知ＳＭＳの命令文を実行し、ＦＭトランスミッタ２９の周波数設定を変更する（ステップＳ７）。ステップＳ７実行後は、携帯電話２は、処理を終了する。
【００５７】
続いて、図３を参照して、本実施形態に係る着信音外部出力管理システム１００における着信転送処理について説明する。この着信転送処理は、上記周波数割り当て処理（図２参照）が終了した後から開始される。
【００５８】
図３に示すように、この着信転送処理において、まず、携帯電話２では、音声通話機能部２７は、音声電話の着信待ちを行う（ステップＳ２１；Ｎｏ）。音声電話の着信があると（ステップＳ２１；Ｙｅｓ）、着信音鳴動機能部２８は、相手情報１１３に発信元の通話の相手に対応する着信音の鳴動を開始する（ステップＳ２２）。
【００５９】
続いて、着信音鳴動機能部２８は、利用者の応答動作が有ったか否かを判定する（ステップＳ２３）。応答動作がない場合（ステップＳ２３；Ｎｏ）、着信音鳴動機能部２８は、鳴動時間１１４が経過したか否かを判定する（ステップＳ２４）。鳴動時間１１４が経過していないと判定されると（ステップＳ２４；Ｎｏ）、着信音鳴動機能部２８は、利用者により応答動作があったか否かを判定する（ステップＳ２３）。すなわち、利用者の応答動作がなく（ステップＳ２３；Ｎｏ）、鳴動時間１１４が経過していなければ（ステップＳ２４；Ｎｏ）ステップＳ２３→Ｓ２４が繰り返される。
【００６０】
この繰り返しの間、応答動作が有ると（ステップＳ２３；Ｙｅｓ）、着信音鳴動機能部２８は、着信音の鳴動を停止し（ステップＳ２８）、音声通話機能部２７は、通話動作を行う（ステップＳ２９）。通話動作終了後、音声通話機能部２７は、再び、着信待ちを行う（ステップＳ２１；Ｎｏ）。
【００６１】
一方、ステップＳ２３→Ｓ２４の繰り返しの間、鳴動時間１１４が経過すると（ステップＳ２４；Ｙｅｓ）、発信元が、相手情報１１３に有るか否かを判定する（ステップＳ２５）。発信元が相手情報１１３になければ（ステップＳ２５；Ｎｏ）、再び応答動作有無判定（ステップＳ２３）に戻る。これにより、応答動作が行われるまで、ステップＳ２３→Ｓ２４→Ｓ２５が繰り返される。
【００６２】
発信元が相手情報１１３に有れば（ステップＳ２５；Ｎｏ）、ＦＭトランスミッタ２９は、周波数管理情報１１２に設定された周波数で、着信音を含むＦＭ波の送信を開始する（ステップＳ２６）。その後、着信音鳴動機能部２８は、利用者の応答動作待ちとなる（ステップＳ２７；Ｎｏ）。
【００６３】
一方、スピーカ４では、ＦＭ受信機能部４２が、割り当てられた周波数番号に対応するＦＭ波の受信待ちとなっている（ステップＳ３１；Ｎｏ）。着信音のＦＭ波を受信すると（ステップＳ３１；Ｙｅｓ）、出力部４１は、着信音の音声出力を開始する（ステップＳ３２）。ＦＭ受信機能部４２は、一定期間経過するまで待つ（ステップＳ３３；Ｎｏ）。一定期間経過すると（ステップＳ３３；Ｙｅｓ）、出力部４１は、着信音の音声出力を停止する（ステップＳ３４）。ステップＳ３４終了後は、ＦＭ波受信待ち（ステップＳ３１）に戻る。
【００６４】
スピーカ４から着信音の音声出力を聞いて、利用者が、携帯電話２の応答動作を行うと（ステップＳ２７；Ｙｅｓ）、着信音鳴動機能部２８は、着信音の鳴動を停止するとともに、着信音の送信を停止する（ステップＳ２８）。続いて、音声通話機能部２７は、通話動作を行う（ステップＳ２９）。これにより、携帯電話２の着信に気づかなかった利用者が、スピーカ４からの着信音の音声出力を聞いて、着信に応答して、音声通話を行うことができるようになる。
【００６５】
通話動作終了後、音声通話機能部２７は、再び着信待ちとなる（ステップＳ２１；Ｎｏ）。
【００６６】
続いて、周波数割り当て解除処理について説明する。この周波数割り当て解除処理は、上記周波数割り当て処理（図２参照）が終了した後から開始される。
【００６７】
図４に示すように、携帯電話２において、ＧＰＳ処理部２２は、ＧＰＳ測位により現在位置を検出する（ステップＳ４１）。続いて、照合部２３は、スピーカ等情報１１１に含まれるスピーカ４の位置情報と検出された現在位置とを照合し、携帯電話２が、スピーカ４の圏内にあるか否かを判定する（ステップＳ４２）。
【００６８】
携帯電話２がスピーカ４の近くにいると判定されると（ステップＳ４２；Ｙｅｓ）、ＧＰＳ処理部２２は、再び、ＧＰＳ測位により現在位置を検出する（ステップＳ４１）。すなわち、携帯電話２がスピーカ４から離脱したと判定されるまで、ステップＳ４１→Ｓ４２が繰り返される。
【００６９】
携帯電話２がスピーカ４の圏内にいないと判定されると（ステップＳ４２；Ｎｏ）、ＳＭＳ送信部２４は、離脱通知ＳＭＳを生成して（ステップＳ４３）、出力管理部３宛に送信する（ステップＳ４４）。続いて、周波数設定部２６は、周波数管理情報１１２において設定されていた周波数番号を削除することにより、周波数割り当てを解除し（ステップＳ４５）、処理を終了する。
【００７０】
一方、出力管理部３において、ＳＭＳ受信部３４が、離脱通知ＳＭＳを受信すると（ステップＳ５１；Ｙｅｓ）、照合部３５は、ＳＭＳの宛先の送信元電話番号と設定記憶部３１の利用者情報１３１に含まれる電話番号とが一致しているか否かを判定する（ステップＳ５２）。
【００７１】
電話番号が一致していなければ（ステップＳ５２；Ｎｏ）、離脱通知ＳＭＳの受信待ちに戻る（ステップＳ５１；Ｙｅｓ）。一方、電話番号が一致していれば（ステップＳ５２；Ｙｅｓ）、照合部３５は、割り当てた周波数番号の割り当てを解除するように、周波数管理情報１３２を変更する（ステップＳ５３）。また、照合部３５は、ＦＭ受信待機／解除部４３における、割り当てた周波数番号に対応する周波数帯域のＦＭ波の受信待機状態を解除する（ステップＳ５４）。ステップＳ５４終了後、出力管理部３は、処理を終了する。
【００７２】
なお、この周波数割り当て解除処理が終了した時点で、上述の着信転送処理（図３参照）の実行が停止され、周波数割り当て処理（図２参照）の実行が再開される。
【００７３】
なお、図２乃至図４の処理では、利用制限情報１３３を特に用いなかったが、利用制限情報１３３を用いて、様々なスピーカ４の利用を制限することができる。例えば、利用制限情報１３３において、スピーカ４で着信音を出力するできる時間帯を設定し、音声出力可能な時間を制限したりしてもよいし、利用制限情報１３３に、利用者の条件を設定し、その条件を満たさない利用者に周波数を割り当てないようにしてもよい。
【００７４】
続いて、スピーカ４を、複数台設置する場合について考える。図５に示すスピーカ４Ａ、４Ｂ、４Ｃ、４Ｄは、それぞれスピーカ４に相当する。スピーカ４Ａ〜４Ｄは、複数の異なる領域Ａ〜Ｂにそれぞれ設置されている。
【００７５】
携帯電話２Ａは、領域Ａにある場合、その着信音は、スピーカ２Ａから出力されるが、携帯電話２が領域Ｂに移動すると、その着信音は、スピーカ２Ｂから出力される。このように、上記実施形態では、携帯電話２の利用者の現在位置と連動して着信音を音声出力するスピーカ４を変えることができる。
【００７６】
以上詳細に説明したように、本実施形態によれば、携帯電話２への着信音を、近くに設置されたスピーカ４に転送して音声出力するので、利用者が携帯電話２の着信音を音声出力する機器等を携帯したり、手元に置いたりする必要がないため、携帯電話２の利用者の利便性や安全性をより向上させることができる。
【００７７】
また、着信音を、近くに設置したスピーカ４から大音量で音声出力することができるので、利用者に着信音を確実に認識させることができる。
【００７８】
また、本実施形態では、利用者情報１３１に登録されていない利用者の携帯電話には、周波数を割り当てないので、正規の利用者以外からのＦＭ波の受信、音声出力を回避することができる。
【００７９】
また、本実施形態では、着信音をスピーカ４から音声出力するのを、鳴動時間１１４経過後に限定しているので、着信音外部出力管理システム１００を、緊急時の利用に限定することができる。
【００８０】
また、本実施形態では、着信音をスピーカ４から音声出力するのを、相手情報１１３に設定した相手からの着信があった場合に限定しているので、着信音外部出力管理システム１００を、緊急時の利用に限定することができる。
【００８１】
また、本実施形態では、ＳＭＳにて、携帯電話２と出力管理部３との間のデータ送受信が行われるため、携帯電話２や出力管理部３に電子メール機能が不要となる。それらの構成を簡略化することができる。
【００８２】
また、本実施形態によれば、スピーカ４付近に携帯電話２を置いておくことができるので、携帯電話２の利用者が、安全に遊びや作業に従事しながら緊急時の連絡に対応することができる。
【００８３】
また、本実施形態によれば、携帯電話２は、ＧＰＳ情報に基づいて、現在位置を検出しているので、現在位置の検出精度を高くすることができる。なお、通話の相手の携帯電話や出力管理部３には、ＧＰＳ情報読み取り機能は不要である。
【００８４】
なお、上記実施形態では、着信音を転送する無線信号をＦＭ波としたが、ＡＭ波や赤外線など、ＦＭ波以外の信号を用いてもよい。
【００８５】
なお、上記実施形態では、図２乃至図４に示される携帯電話２、出力管理部３及びスピーカ４で実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【００８６】
また、プログラムをインターネット等の通信ネットワーク上の所定のサーバ装置が有するディスク装置等に格納しておき、例えば、搬送波に重畳させて、ダウンロード等するようにしてもよい。
【００８７】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【産業上の利用可能性】
【００８８】
本発明は、移動体通信システムに好適である。特に、移動体通信システムを用いた防災システムに好適である。
【符号の説明】
【００８９】
１  ＧＰＳ測位システム
２、２Ａ  携帯電話
３  出力管理部
４、４Ａ、４Ｂ、４Ｃ、４Ｄ  スピーカ
２１  設定記憶部
２２  ＧＰＳ処理部
２３  照合部
２４  ＳＭＳ送信部
２５  ＳＭＳ受信部
２６  周波数設定部
２７  音声通話機能部
２８  着信音鳴動機能部
２９  ＦＭトランスミッタ
３１  設定記憶部
３２  入力装置
３３  表示装置
３４  ＳＭＳ受信部
３５  照合部
３６  ＳＭＳ送信部
４１  出力部
４２  ＦＭ受信機能部
４３  ＦＭ受信待機／解除部
１００  着信音外部出力管理システム
１１１  スピーカ等情報
１１２  周波数管理情報
１１３  相手情報
１１４  鳴動時間
１３１  利用者情報
１３２  周波数管理情報
１３３  利用制限情報
１３４  音量調節情報
【図１】
2011109314.tif 000003
【図２】
2011109314.tif 000004
【図３】
2011109314.tif 000005
【図４】
2011109314.tif 000006
【図５】
2011109314.tif 000007